(57)【要約】【課題】特急券のような高額な特別券をＩＣカードを用いて事前購入できるようにする。【解決手段】回数券、あるいは特急回数券等の特別券を購入したときに、ＩＣカードにその特別券を購入したことを示す所定の特別券購入データを入力する入力機と、前記ＩＣカードに記憶されている所定の特別券購入データを読取り、その読取られたその所定の特別券購入データに基づいて前記特別券を発行する券売機とからなる。【選択図】      図４
2004326665.tif 000002
【特許請求の範囲】
【請求項１】
ＩＣカードの本体のメモリに回数券、あるいは特急回数券等の特別券を購入したことを示す所定のデータを記憶する特別券購入データ記憶部を設けたことを特徴とするＩＣカード。
【請求項２】
請求項１に記載のＩＣカードにおいて、ＩＣカードの本体は被接触式自動改札機で使用される非接触式であることを特徴とするＩＣカード。
【請求項３】
回数券、あるいは特急回数券等の特別券を購入したときに、ＩＣカードにその特別券を購入したことを示す所定の特別券購入データを入力する入力機と、
前記ＩＣカードに記憶されている所定の特別券購入データを読取り、その読取られたその所定の特別券購入データに基づいて前記特別券を発行する券売機と、
からなることを特徴とするＩＣカードを用いた発券システム。
【請求項４】
請求項３に記載のＩＣカードを用いた発券システムにおいて、ＩＣカードは、非接触式自動改札機で使用される非接触式であることを特徴とするＩＣカードを用いた発券システム。
【請求項５】
請求項３又は４に記載のＩＣカードを用いた発券システムにおいて、入力機で入力された所定の特別券購入データ及び券売機で読取られた所定の特別券購入データは、それら入力機及び券売機と通信回線を介して接続されいている中央装置で管理されることを特徴とするＩＣカードを用いた発券システム。
【発明の詳細な説明】
【０００１】
【発明の属する技術分野】
本発明は、ＩＣカード、及びそのＩＣカードを用いて回数券や特急回数券等の特別券を購入することのできるＩＣカードを用いた発券システムに関する。
【０００２】
【従来の技術】
近年、首都圏においては、利用者の利便向上を図るために、定期券やＳＦカード（ストアードフェアカード）を無線通信機能を備えたＩＣカード、いわゆる非接触券とし、また、自動改札機をその非接触券を処理することのできる非接触式自動改札機として、入出場（入場又は出場を意味している。）が効率よく行えるようになってきている（特許文献１参照）。
【０００３】
【特許文献】
特開２００３−６６８６号公報
【０００４】
【発明が解決しようとする課題】
しかしながら、上記従来の非接触券は、ＳＦカードの機能を有しているので、定期券の乗車区間外であってもそのＳＦカードを利用して入出場できるという特長を有しているが、そのＳＦカードを利用した乗車が都市間移動のような比較的高額の運賃を必要とするときは、非接触券に記録されている残額がすぐに消費されてしまい、頻繁に金額の積増しを行わなければならないという面倒があった。
【０００５】
そこで、本発明は、上記欠点を解決するためになされたものであって、その目的は、積増回数を減らすことのできるＩＣカード、及びそのＩＣカードを用いた発券システムを提供することにある。
【０００６】
【課題を解決するための手段】
本発明に係るＩＣカードは、上記目的を達成するために、請求項１に記載の発明は、ＩＣカードの本体のメモリに回数券、あるいは特急回数券等の特別券を購入したことを示す所定のデータを記憶する特別券購入データ記憶部を設けたことを特徴としている。
本発明の請求項２に記載のＩＣカードの本体は、被接触式自動改札機で使用される非接触式であることを特徴としている。
本発明に係るＩＣカードを用いた発券システムは、上記目的を達成するためするために、請求項３に記載の発明は、回数券、あるいは特急回数券等の特別券を購入したときに、ＩＣカードにその特別券を購入したことを示す所定の特別券購入データを入力する入力機と、前記ＩＣカードに記憶されている所定の特別券購入データを読取り、その読取られたその所定の特別券購入データに基づいて前記特別券を発行する券売機と、からなることを特徴としている。
本発明の請求項４に記載のＩＣカードを用いた発券システムは、ＩＣカードは、非接触式自動改札機で使用される非接触式であることを特徴としている。
本発明の請求項５に記載のＩＣカードを用いた発券システムは、入力機で入力された所定の特別券購入データ及び券売機で読取られた所定の特別券購入データは、それら入力機及び券売機と通信回線を介して接続されいている中央装置で管理されることを特徴としている。
【０００７】
【発明の実施の形態】
以下、本発明の実施の形態を図面に基づいて説明する。図１は、一実施の形態に係るＩＣカードを用いた発券システムの概略構成図である。なお、ここでは、本発明に係るＩＣカードをそのＩＣカードの本体を含めて非接触券Ｃとして説明する。
【０００８】
図１中、ａは、入力機であって、駅あるいは旅行会社等の利用者（旅客）に対して所定のサービスを行うことのできる所定の機関に設置されている。この入力機ａは、ここでは利用者自身が操作する自動入力機として示されている。この入力機ａは、後に詳述するが、利用者の所持する非接触券Ｃに対して回数券、特急券回数券、あるいは特急券等の比較的高額な所定の特別券を事前に購入していることを示す所定の特別券購入データを記憶するために用いられるものである。
【０００９】
上記入力機ａは、図２に示されるように、メモリ１に記憶されているシステムプログラムデータ及びワーキングデータを基に所定の演算処理を行う中央処理部（ＣＰＵ）２を有している。そして、このＣＰＵ２には、入力機ａの接客面に設けられているタッチパネルや釦群からなる入力ユニット３と、入力機ａに投入された特別券購入のための金銭を検銭し、必要に応じて釣り銭を排出する金銭処理ユニット４と、後述する中央装置と通信回線Ｌを介して通信を行うための通信制御部５と、入力機ａの図示しない挿入口に挿入された非接触券Ｃに記録されているデータを非接触で読取るとともに、その非接触券Ｃに非接触でデータを書込むための、アンテナ６ａを備えたリーダライタ６とが接続されている。なお、特別券の購入金額をプリペイドカード等のカード類で支払うことができるように運用されているときは、ＣＰＵ２には、カード処理ユニットも接続される。また、このＣＰＵ２には、係員処理ユニット等も接続されるが、ここでは省略されている。
【００１０】
なお、この入力機ａは、上述の入力ユニット３、金銭処理ユニット４及びリーダライタ６を備えているものであれば、周知の自動券売機と兼用することができる。また、この入力機ａは、係員に金銭を支払って特別券の購入を行うときは、金銭処理ユニット４の省略された係員処理型とされる。
【００１１】
非接触券Ｃは、周知の非接触式自動改札機で使用されるもので無線機能を備えたＩＣカードから構成されている。すなわち、この非接触券Ｃは、図２に示されるように、入力機ａ側と通信を行うためのアンテナ１０ａを備えた通信制御部１０と、非接触券Ｃを統括的に制御するＣＰＵ１１と、所定のカードデータを記憶するメモリ１２と、入力機ａのアンテナ６ａから送出される電力波を受信して非接触券Ｃの駆動電力を生成する電力生成回路１３とが設けられている。
【００１２】
上記メモリ１２に記憶されるカードデータとしては、非接触券Ｃの識別情報（ＩＤ番号）等のＩＣカード（非接触券）特有のデータが記憶されている以外に、そのメモリ１２には、所定の定期券データを記憶する定期券データ記憶部ｍ１  、ＳＦデータ（残額データ）を記憶するＳＦデータ記憶部ｍ２  及び本発明に係る特別券を購入したときのデータを記憶する特別券購入データ記憶部ｍ３  が設けられている。
【００１３】
また、この非接触券Ｃの裏面（定期券の乗車区間等の印字されている面と反対側の面）等の所定の場所には、特別券購入データ記憶ｍ３  に記憶されているデータに対応した内容がリライト式（印字した内容を消去できる方式）で印字できるように構成されている。したがって、上記入力機ａ及び後述する券売機には、図示しないがリライト式の印字ユニットが組み込まれている。このリライト式の印字としては、所定の発色温度で印字された、所定の消色温度で消字されるような形式が採用される。
【００１４】
図１中、ｂは、駅に設置される券売機であり、ここでは、利用者自身が操作する自動券売機として示されている。この券売機ｂは、図３に示されるように、メモリ２０に記憶されているシステムプログラムデータ及びワーキングデータを基に所定の演算処理を行うワーキングデータを基に所定の演算処理を行う中央処理部（ＣＰＵ）２１を有している。そして、このＣＰＵ２１には、券売機ｂの接客面に設けられているタッチパネルや釦群からなる入力ユニット２２と、本発明に係る特別券及び券売機ｂから通常発行される乗車券を印字し、かつ、所定のデータを書込んで発行する発券ユニット２３と、券売機ｂに投入された乗車券購入のための金銭を検銭し、必要に応じて釣り銭を排出する金銭処理ユニット２４と、後述する中央装置と通信回線Ｌを介して通信を行うための通信制御部２５と、券売機ｂの図示しない挿入口に挿入された非接触券Ｃに記録されているデータを非接触で読取るとともに、その非接触券Ｃに非接触でデータを書込むための、アンテナ２６ａを備えたリーダライタ２６とが接続されている。なお、乗車券の購入金額をプリペイドカード等のカード類で支払うことができるように運用されているときは、ＣＰＵ２１には、カード処理ユニットも接続される。また、このＣＰＵ２１には、係員処理ユニット等も接続されているが、ここでは省略されている。
【００１５】
図１中、Ｈは、鉄道会社の本社等の所定の中央に設置されたホストコンピュータからなる中央装置であり、通信回線Ｌを介して入力機ａ及び券売機ｂと接続されている。そして、この中央装置Ｈは、入力機ａで事前に購入された特別券の情報及びその購入された特別券が券売機ｂで発行された情報を一元的に管理できるように構成されている。このように、中央装置Ｈで特別券が一元的に管理されているので、その特別券が座席指定に係るような場合でも効果的に管理することができる。したがって、例えば、入力機ａでライナ方式の着席券（号車指定の着席券）を発売した場合、券売機ｂでは、ライナ方式により座席分の着席を先着順に発行することができるなどのきめ細かな管理を行うことができる。
【００１６】
以下、図４（ａ）のフローチャートを用いて入力機ａの制御動作について説明する。今、利用者が特別券を事前に購入しようとし、入力機ａに非接触券Ｃを挿入したとする（ステップ１００肯定。以下、ステップを「Ｓ」とする。）。非接触券Ｃが入力機ａに挿入されると、その非接触券Ｃと入力機ａとの間の通信が開始されて非接触券Ｃの有効性が判定され、有効と判定されたときにその非接触券Ｃへの特別券に係るデータの入力が許可される（図４（ａ）のフローチャートでは省略）。
【００１７】
入力ユニット３を介して利用者の希望する特別券の情報が入力され（Ｓ１０２肯定）さらに、その特別券を購入するのに必要な金額を満たす金銭が入力機ａに、投入されると（Ｓ１０４肯定）、非接触券Ｃのメモリ１２の特別券購入データ記憶部ｍ３  に特別券を事前に購入したことを示す所定のデータが記憶されるとともに、その所定のデータに対応した内容が非接触券Ｃの所定の場所に印字される。また、この特別券の購入が入力機ａを介して行われたときには、その特別券に係るデータが通信回線Ｌを介して中央装置Ｈに送信され、以後、その特別券は中央装置Ｈにより管理される。非接触券Ｃに対する一連の処理が終了すると、その非接触券Ｃは利用者へ返却される（Ｓ１０６）。
【００１８】
図４（ｂ）は、券売機ｂの制御動作を示すフローチャートである。利用者によって入力ユニット２２を介して券売機ｂが特別券発行モードに設定され（Ｓ２００肯定）、非接触券Ｃが券売機ｂの図示しない挿入口に挿入されると、その非接触券Ｃと券売機ｂとの間の通信が開始されて非接触券Ｃのメモリ１２に記憶されているデータが券売機ｂ（ＣＰＵ２１）により読取られる（Ｓ２０４）。なお、券売機ｂの特別券発行モードの設定は、券売機ｂの挿入口に非接触券Ｃを挿入したときに自動的に行うようにすることもできる。
【００１９】
券売機ｂの読取りにおいて非接触券Ｃのメモリ１２に特別券に係る有効なデータが記憶されていると判定されたときは（Ｓ２０６肯定）、その記憶されているデータに対応する特別券が発券ユニット２３を介して生成されて発行されるとともに、メモリ１２の特別券購入データ記憶部ｍ３  に記憶されているデータがクリアされ、さらに、非接触券Ｃに印字されていた特別券に係る印字内容が消字される。そして、特別券が発行されたことが通信回線Ｌを介して中央装置Ｈに送信される。非接触券Ｃに対する一連の処理が終了すると、非接触券Ｃは、利用者へ返却される（Ｓ２０８）。特別券の発行を受けた利用者は、その特別券を用いて列車（電車）に乗車することができる。
【００２０】
【発明の効果】
本発明の請求項１に記載のＩＣカードは、ＩＣカードの本体のメモリに回数券、あるいは特急回数券等の特別券を購入したことを示す所定のデータを記憶する特別券購入データ記憶部を設けたので、事前購入した特別券のデータを効率よく記憶することができる。
本発明の請求項２に記載のＩＣカードは、そのＩＣカードの本体は被接触式自動改札機で使用される非接触式であるので、非接触式自動改札機で使用されている非接触券を利用することができる。
本発明の請求項３に記載したＩＣカードを用いた発行システムは、回数券、あるいは特急回数券等の特別券を購入したときに、ＩＣカードにその特別券を購入したことを示す所定の特別券購入データを入力する入力機と、前記ＩＣカードに記憶されている所定の特別券購入データを読取り、その読取られたその所定の特別券購入データに基づいて前記特別券を発行する券売機とからなるので、高額な特別券を事前購入でき、ＩＣカードに対する金額の積増回路を減らすことができる。
本発明の請求項４に記載のＩＣカードは、ＩＣカードは、非接触式自動改札機で使用される非接触式であるので、非接触式自動改札機で使用されている非接触券を利用することができる。
本発明の請求項５に記載のＩＣカードは、入力機で入力された所定の特別券購入データ及び券売機で読取られた所定の特別券購入データは、それら入力機及び券売機と通信回線を介して接続されいている中央装置で管理されるので、特別券を中央装置で一元的に管理することができる。
【図面の簡単な説明】
【図１】本発明の一実施の形態に係るＩＣカードを用いた発行システムの概略構成図である。
【図２】入力機及びＩＣカードのブロック図である。
【図３】券売機のブロック図である。
【図４】制御動作を示すブロック図である。
【符号の説明】
ａ      入力機
ｂ      券売機
Ｈ      中央装置
Ｌ      通信回路
Ｃ      ＩＣカード（非接触券）
【図１】
2004326665.tif 000003
【図２】
2004326665.tif 000004
【図３】
2004326665.tif 000005
【図４】
2004326665.tif 000006
【手続補正書】
【提出日】平成15年5月8日(2003.5.8)
【手続補正１】
【補正対象書類名】明細書
【補正対象項目名】請求項２
【補正方法】変更
【補正の内容】
【請求項２】
請求項１に記載のＩＣカードにおいて、ＩＣカードの本体は非接触式自動改札機で使用される非接触式であることを特徴とするＩＣカード。
【手続補正２】
【補正対象書類名】明細書
【補正対象項目名】０００３
【補正方法】変更
【補正の内容】
【０００３】
【特許文献１】
特開２００３−６６８６号公報


【手続補正３】
【補正対象書類名】明細書
【補正対象項目名】０００６
【補正方法】変更
【補正の内容】
【０００６】
【課題を解決するための手段】
本発明に係るＩＣカードは、上記目的を達成するために、請求項１に記載の発明は、ＩＣカードの本体のメモリに回数券、あるいは特急回数券等の特別券を購入したことを示す所定のデータを記憶する特別券購入データ記憶部を設けたことを特徴としている。
本発明の請求項２に記載のＩＣカードは、ＩＣカードの本体は非接触式自動改札機で使用される非接触式であることを特徴としている。
本発明に係るＩＣカードを用いた発券システムは、上記目的を達成するために、請求項３に記載の発明は、回数券、あるいは特急回数券等の特別券を購入したときに、ＩＣカードにその特別券を購入したことを示す所定の特別券購入データを入力する入力機と、前記ＩＣカードに記憶されている所定の特別券購入データを読取り、その読取られたその所定の特別券購入データに基づいて前記特別券を発行する券売機と、からなることを特徴としている。
本発明の請求項４に記載のＩＣカードを用いた発券システムは、ＩＣカードは、非接触式自動改札機で使用される非接触式であることを特徴としている。
本発明の請求項５に記載のＩＣカードを用いた発券システムは、入力機で入力された所定の特別券購入データ及び券売機で読取られた所定の特別券購入データは、それら入力機及び券売機と通信回線を介して接続されいている中央装置で管理されることを特徴としている。


【手続補正４】
【補正対象書類名】明細書
【補正対象項目名】０００９
【補正方法】変更
【補正の内容】
【０００９】
上記入力機ａは、図２に示されるように、メモリ１に記憶されているシステムプログラムデータ及びワーキングデータを基に所定の演算処理を行う中央処理部（ＣＰＵ）２を有している。そして、このＣＰＵ２には、入力機ａの接客面に設けられているタッチパネルや釦群からなる入力ユニット３と、入力機ａに投入された特別券購入のための金銭を検銭し、必要に応じて釣り銭を排出する金銭処理ユニット４と、後述する中央装置と通信回線Ｌを介して通信を行うための通信制御部５と、入力機ａの図示しない挿入口に挿入された非接触券Ｃに記録されているデータを非接触で読取るとともに、その非接触券Ｃに非接触でデータを書込むためのアンテナ６ａを備えたリーダライタ６とが接続されている。なお、特別券の購入金額をプリペイドカード等のカード類で支払うことができるように運用されているときは、ＣＰＵ２には、カード処理ユニットも接続される。また、このＣＰＵ２には、係員処理ユニット等も接続されるが、ここでは省略されている。


【手続補正５】
【補正対象書類名】明細書
【補正対象項目名】００１３
【補正方法】変更
【補正の内容】
【００１３】
また、この非接触券Ｃの裏面（定期券の乗車区間等の印字されている面と反対側の面）等の所定の場所には、特別券購入データ記憶部ｍ３  に記憶されているデータに対応した内容がリライト式（印字した内容を消去できる方式）で印字できるように構成されている。したがって、上記入力機ａ及び後述する券売機には、図示しないがリライト式の印字ユニットが組み込まれている。このリライト式の印字としては、所定の発色温度で印字されたり、所定の消色温度で消字されるような形式が採用される。


【手続補正６】
【補正対象書類名】明細書
【補正対象項目名】００１４
【補正方法】変更
【補正の内容】
【００１４】
図１中、ｂは、駅に設置される券売機であり、ここでは、利用者自身が操作する自動券売機として示されている。この券売機ｂは、図３に示されるように、メモリ２０に記憶されているシステムプログラムデータ及びワーキングデータを基に所定の演算処理を行う中央処理部（ＣＰＵ）２１を有している。そして、このＣＰＵ２１には、券売機ｂの接客面に設けられているタッチパネルや釦群からなる入力ユニット２２と、本発明に係る特別券及び券売機ｂから通常発行される乗車券を印字し、かつ、所定のデータを書込んで発行する発券ユニット２３と、券売機ｂに投入された乗車券購入のための金銭を検銭し、必要に応じて釣り銭を排出する金銭処理ユニット２４と、後述する中央装置と通信回線Ｌを介して通信を行うための通信制御部２５と、券売機ｂの図示しない挿入口に挿入された非接触券Ｃに記録されているデータを非接触で読取るとともに、その非接触券Ｃに非接触でデータを書込むためのアンテナ２６ａを備えたリーダライタ２６とが接続されている。なお、乗車券の購入金額をプリペイドカード等のカード類で支払うことができるように運用されているときは、ＣＰＵ２１には、カード処理ユニットも接続される。また、このＣＰＵ２１には、係員処理ユニット等も接続されているが、ここでは省略されている。


【手続補正７】
【補正対象書類名】明細書
【補正対象項目名】００１７
【補正方法】変更
【補正の内容】
【００１７】
入力ユニット３を介して利用者の希望する特別券の情報が入力され（Ｓ１０２肯定）、さらに、その特別券を購入するのに必要な金額を満たす金銭が入力機ａに投入されると（Ｓ１０４肯定）、非接触券Ｃのメモリ１２の特別券購入データ記憶部ｍ３  に特別券を事前に購入したことを示す所定のデータが記憶されるとともに、その所定のデータに対応した内容が非接触券Ｃの所定の場所に印字される。また、この特別券の購入が入力機ａを介して行われたときには、その特別券に係るデータが通信回線Ｌを介して中央装置Ｈに送信され、以後、その特別券は中央装置Ｈにより管理される。非接触券Ｃに対する一連の処理が終了すると、その非接触券Ｃは利用者へ返却される（Ｓ１０６）。


【手続補正８】
【補正対象書類名】明細書
【補正対象項目名】００２０
【補正方法】変更
【補正の内容】
【００２０】
【発明の効果】
本発明の請求項１に記載のＩＣカードは、ＩＣカードの本体のメモリに回数券、あるいは特急回数券等の特別券を購入したことを示す所定のデータを記憶する特別券購入データ記憶部を設けたので、事前購入した特別券のデータを効率よく記憶することができる。
本発明の請求項２に記載のＩＣカードは、そのＩＣカードの本体は非接触式自動改札機で使用される非接触式であるので、非接触式自動改札機で使用されている非接触券を利用することができる。
本発明の請求項３に記載のＩＣカードを用いた発券システムは、回数券、あるいは特急回数券等の特別券を購入したときに、ＩＣカードにその特別券を購入したことを示す所定の特別券購入データを入力する入力機と、前記ＩＣカードに記憶されている所定の特別券購入データを読取り、その読取られたその所定の特別券購入データに基づいて前記特別券を発行する券売機とからなるので、高額な特別券を事前購入でき、ＩＣカードに対する金額の積増回路を減らすことができる。
本発明の請求項４に記載のＩＣカードを用いた発券システムは、ＩＣカードは、非接触式自動改札機で使用される非接触式であるので、非接触式自動改札機で使用されている非接触券を利用することができる。
本発明の請求項５に記載のＩＣカードを用いた発券システムは、入力機で入力された所定の特別券購入データ及び券売機で読取られた所定の特別券購入データは、それら入力機及び券売機と通信回線を介して接続されている中央装置で管理されるので、特別券を中央装置で一元的に管理することができる。


【手続補正９】
【補正対象書類名】明細書
【補正対象項目名】図面の簡単な説明
【補正方法】変更
【補正の内容】
【図面の簡単な説明】
【図１】本発明の一実施の形態に係るＩＣカードを用いた発券システムの概略構成図である。
【図２】入力機及びＩＣカードのブロック図である。
【図３】券売機のブロック図である。
【図４】制御動作を示すブロック図である。
【符号の説明】
ａ      入力機
ｂ      券売機
Ｈ      中央装置
Ｌ      通信回路
Ｃ      ＩＣカード（非接触券）